(57)【特許請求の範囲】
【請求項１】
複数のフレーム要素を互いに組み合わせることによって構成し、曲面状の取付面を有する枠体と、可撓性を有したシート状を成す太陽電池シートとを備え、前記取付面に沿う状態で前記太陽電池シートを前記枠体に保持させることによって構成し、前記太陽電池シートによって遮光及び発電を行うブラインド装置であって、
前記枠体は、左右方向に延在する一対の横フレーム要素と、これら一対の横フレーム要素の間を連結する一対の縦フレーム要素とを備え、前記一対の横フレーム要素はそれぞれ直線状を成し、互いに平行に延在するものであり、前記一対の縦フレーム要素は一方の横フレーム要素から凸状に湾曲する第１湾曲部と、凹状に湾曲する第２湾曲部とを有し、側面視がＳ字状を成すものであり、
これら一対の横フレーム要素及び一方の縦フレーム要素には、枠体の内周面となる部位に互いに連続し、前記太陽電池シートの縁部を収容保持するための収容溝が形成してあり、前記収容溝が他方の縦フレーム要素において外部に開放したものであり、
前記太陽電池シートは、前記一対の横フレーム要素及び前記一対の縦フレーム要素を予め組み合わせて構成した曲面状の取付面を有する枠体に対し、前記他方の縦フレーム要素において開口する部分から収容溝に挿入して当該枠体に支持させることにより、前記枠体の取付面に沿って変形した状態となることを特徴とするブラインド装置。
【請求項２】
前記枠体において前記取付面の裏側となる部位に配設し、前記太陽電池シートが発電した電源によって駆動する表示手段をさらに備えたことを特徴とする請求項１に記載のブラインド装置。
【発明の詳細な説明】
【技術分野】
【０００１】
本発明は、ブラインド装置に関するもので、特にシート状の太陽電池を備えて発電を行うようにしたブラインド装置に関するものである。
【背景技術】
【０００２】
この種のブラインド装置としては、スラットの表面が太陽電池によって構成されたものが提供されている。太陽電池としては、アモルファス型のものが適用されている。このブラインド装置によれば、スラットによって太陽光の照射を遮ることができると同時に遮光した太陽光によって発電することができるようになる。
【先行技術文献】
【特許文献】
【０００３】
【特許文献１】特開２００１−８２０５８号公報
【発明の概要】
【発明が解決しようとする課題】
【０００４】
ところで、上述したブラインド装置では、スラットが湾曲状に形成されているため、平板状を成すものに比べて太陽光の遮光面積に対する太陽電池の表面積を増大させ、発電量を増やすことが可能である。しかしながら、シート状の二次電池及びシート状の面発光体とともに太陽電池を積層・接着することによってスラットを構成したブラインド装置では、スラットに高い剛性を確保することが困難である。従って、大きな遮光面積が必要となった場合には、複数のスラットによってブラインド装置を構成せざるを得ず、取り扱いが煩雑となる等の問題を招来することになる。
【０００５】
本発明は、上記実情に鑑みて、大きな面積を遮光する場合にも取り扱いが煩雑となることがなく、しかも単位遮光面積当たりの発電量を増大することのできるブラインド装置を提供することを目的とする。
【課題を解決するための手段】
【０００６】
上記目的を達成するため、本発明に係るブラインド装置は、複数のフレーム要素を互いに組み合わせることによって構成し、曲面状の取付面を有する枠体と、可撓性を有したシート状を成す太陽電池シートとを備え、前記取付面に沿う状態で前記太陽電池シートを前記枠体に保持させることによって構成し、前記太陽電池シートによって遮光及び発電を行うブラインド装置であって、前記枠体は、左右方向に延在する一対の横フレーム要素と、これら一対の横フレーム要素の間を連結する一対の縦フレーム要素とを備え、前記一対の横フレーム要素はそれぞれ直線状を成し、互いに平行に延在するものであり、前記一対の縦フレーム要素は一方の横フレーム要素から凸状に湾曲する第１湾曲部と、凹状に湾曲する第２湾曲部とを有し、側面視がＳ字状を成すものであり、これら一対の横フレーム要素及び一方の縦フレーム要素には、枠体の内周面となる部位に互いに連続し、前記太陽電池シートの縁部を収容保持するための収容溝が形成してあり、前記収容溝が他方の縦フレーム要素において外部に開放したものであり、前記太陽電池シートは、前記一対の横フレーム要素及び前記一対の縦フレーム要素を予め組み合わせて構成した曲面状の取付面を有する枠体に対し、前記他方の縦フレーム要素において開口する部分から収容溝に挿入して当該枠体に支持させることにより、前記枠体の取付面に沿って変形した状態となることを特徴とする。
【００１０】
また、本発明は、上述のブラインド装置において、前記枠体において前記取付面の裏側となる部位に配設し、前記太陽電池シートが発電した電源によって駆動する表示手段をさらに備えたことを特徴とする。
【発明の効果】
【００１１】
本発明によれば、太陽電池シートを枠体に保持させるようにしているため、剛性の点で問題が発生する虞れはなく、大きな面積を遮光する場合にも単一でこれに対応することができ、取り扱いが煩雑になることがない。しかも、枠体に湾曲状の取付面を構成しているため、単位遮光面積当たりの発電量を増大させることができる。
【図面の簡単な説明】
【００１２】
【図１】図１は、本発明の実施の形態１であるブラインド装置を表面側から見た斜視図である。
【図２】図２は、図１に示したブラインド装置を裏面側から見た斜視図である。
【図３】図３は、図１に示したブラインド装置を表面側から見た分解斜視図である。
【図４】図４は、図１に示したブラインド装置の設置例を示した概念図である。
【図５】図５は、本発明の実施の形態２であるブラインド装置を裏面側から見た外面図である。
【図６】図６は、図５に示したブラインド装置の設置例を裏面側から見た図である。
【発明を実施するための形態】
【００１３】
以下に添付図面を参照して、本発明に係るブラインド装置の好適な実施の形態について詳細に説明する。
【００１４】
（実施の形態１）
図１〜図３は、本発明の実施の形態１であるブラインド装置を示したものである。ここで例示するブラインド装置１は、スーパーマーケット等の店舗において室内側の上方部に配設し、室内に照射される太陽光を制限するためのもので、枠体１０を備えている。
【００１５】
枠体１０は、左右方向に延在する上下一対の横フレーム要素１１，１２と、これら一対の横フレーム要素１１，１２の端部間を連結する左右一対の縦フレーム要素１３，１４とを備えて構成したものである。
【００１６】
横フレーム要素１１，１２は、直線状を成すもので、互いに平行となる態様で延在している。縦フレーム要素１３，１４は、横フレーム要素１１，１２に直交する平面上において湾曲状に延在するものである。本実施の形態１では、上方に位置する横フレーム要素１１から下方に位置する横フレーム要素１２に向けて凸状に湾曲する第１湾曲部１３ａ，１４ａと、第１湾曲部１３ａ，１４ａに連続して凹状に湾曲する第２湾曲部１３ｂ，１４ｂとを有し、側面視がＳ字状を成す縦フレーム要素１３，１４を適用しており、一対の横フレーム要素１１，１２との間に凸状部及び凹状部が連続する湾曲状の取付面１０Ａを構成している。
【００１７】
これら一対の横フレーム要素１１，１２及び一方の縦フレーム要素１３には、枠体１０の内周面となる部位に収容溝１１ｃ，１２ｃ，１３ｃが形成してある。収容溝１１ｃ，１２ｃ，１３ｃは、互いに連続するように形成したもので、横フレーム要素１１，１２の収容溝１１ｃ，１２ｃが他方の縦フレーム要素１４において外部に開放している。
【００１８】
また、枠体１０には、裏面側となる部位に補助縦フレーム要素１５及びサポートブラケット１６が設けてある。補助縦フレーム要素１５は、縦フレーム要素１３，１４と同様、第１湾曲部１５ａ及び第２湾曲部１５ｂを有したＳ字状を成すもので、一対の縦フレーム要素１３，１４の相互間において一対の横フレーム要素１１，１２の間を連結している。サポートブラケット１６は、横フレーム要素１１，１２と同等の長さを有した幅広のプレート状部材であり、一対の横フレーム要素１１，１２の相互間において一対の縦フレーム要素１３，１４の間を連結している。このサポートブラケット１６には、一対の取付用パイプ１７が設けてある。取付用パイプ１７は、枠体１０を天井に保持させるためのもので、サポートブラケット１６の上面から互いに平行となる態様で上方に向けて延在している。
【００１９】
本実施の形態１では、横フレーム要素１１，１２、縦フレーム要素１３，１４、補助縦フレーム要素１５及びサポートブラケット１６のそれぞれをアルミニウム合金によって構成してあり、比較的軽量であるものの十分な剛性を確保している。尚、枠体１０としては必ずしもアルミニウム合金で構成する必要はなく、鋼材によって構成しても良いし、硬質の合成樹脂材によって構成することも可能である。
【００２０】
また、上記ブラインド装置１は、矩形状の太陽電池シート２０を備えている。太陽電池シート２０は、図には明示していないが、２枚の保護フィルム２１の間に、多数のアモルファスシリコン型薄膜太陽電池セル（以下、単に「太陽電池セル２２」という）を挟装保持させることによって一体に構成されたもので、全体として可撓性を有している。保護フィルム２１は、絶縁性を有した合成樹脂材によって成形したもので、枠体１０とほぼ同等の大きさに構成してある。太陽電池セル２２は、保護フィルム２１の周囲に支持代２１ａを確保した状態でその全面に貼り付けてある。
【００２１】
この太陽電池シート２０は、図３に示すように、保護フィルム２１の上下両縁を縦フレーム要素１４側から横フレーム要素１１，１２の収容溝１１ｃ，１２ｃに挿入し、そのまま内部に移動させて保護フィルム２１の先端を縦フレーム要素１３の収容溝１３ｃに挿入させることによって枠体１０に保持させてある。太陽電池シート２０を装着した後の枠体１０には、収容溝１１ｃ，１２ｃの開放端部となる縦フレーム要素１４にカバー部材（図示せず）を取り付けて太陽電池シート２０の脱落を防止するようにしても良い。また、カバー部材（図示せず）に換え、保護フィルム２１の支持代２１ａと縦フレーム要素１４との間をリベットや両面テープによって止着し、太陽電池シート２０の脱落を防止するようにしても構わない。
【００２２】
このようにして枠体１０に保持された太陽電池シート２０は、保護フィルム２１の端縁部が縦フレーム要素１３の収容溝１３ｃ及び横フレーム要素１１，１２の収容溝１１ｃ，１２ｃに保持されるため、枠体１０の取付面１０Ａに沿って変形した状態となる。すなわち、図１に示すように、枠体１０に保持された太陽電池シート２０は、その取付面１０Ａに沿って変形し、上方部側が凸状に湾曲するとともに下方部側が凹状に湾曲した形状となり、枠体１０の投影面積に比較して大きな表面積を確保することができるようになる。しかも、太陽電池シート２０の周囲全周が枠体１０によって支持されるため、高い剛性を確保することができるようになり、単一の太陽電池シート２０によって大きな寸法のブラインド装置１を構成することが可能となる。従って、従来のもののように複数のスラットによってブライド装置を構成する必要がなく、その取り扱いが煩雑になる虞れはない。
【００２３】
上記のように構成したブラインド装置１は、図４に示すように、屋内の天井において窓際となる部位に、太陽電池シート２０を屋外に向けた状態で取付用パイプ１７を介して取り付ければ、太陽電池シート２０によって太陽光の入射範囲を制限することができる。これと同時に太陽電池シート２０に照射された太陽光によって発電が行われることになり、この発電電源によって屋内を照明することが可能となる等、太陽エネルギーの有効利用を図ることができる。この場合、実施の形態１のブラインド装置１によれば、上述したように、枠体１０の投影面積に比較して太陽電池シート２０が大きな表面積を有しているため、単位遮光面積当たりの発電量を増大させることができるようになる。
【００２４】
（実施の形態２）
図５及び図６は、本発明の実施の形態２であるブラインド装置を示したものである。ここで例示するブラインド装置１′は、実施の形態１で示したブラインド装置１と同様の構成を有したもので、枠体が表示手段を備える点で実施の形態１と相違している。尚、実施の形態２において実施の形態１と同様の構成に関しては、同一の符号を付してそれぞれの詳細説明を省略する。
【００２５】
図５に示すように、実施の形態２のブラインド装置１′では、枠体１０においてサポートブラケット１６よりも下方となる部位に表示手段３０、例えば液晶表示器やＶＦＤ（真空蛍光ディスプレイ：Ｖａｃｕｕｍ  Ｆｌｕｏｒｅｓｃｅｎｔ  Ｄｉｓｐｌａｙ）が設けてある。図には明示していないが、この表示手段３０は、太陽電池シート２０が発電した場合にその発電電源によって駆動するものである。尚、ブラインド装置１′の表示手段３０は、直接太陽電池シート２０が発電した電源によって駆動するように構成しても良いし、太陽電池シート２０の発電電源を蓄電する蓄電池から電源を供給するようにしても構わない。これら表示手段３０を駆動するための電源や駆動回路等の電装部品に関しては、上述したサポートブラケット１６の内部に収容域を設け、サポートブラケット１６に収容することが好ましい。
【００２６】
上記のように構成したブラインド装置１′では、例えば図６に示すように、店舗の窓際に取付用パイプ１７を介して天井Ｈに複数並設するように設置すれば、太陽電池シート２０によって太陽光の遮光及び太陽光による発電を行うことができるばかりか、表示手段３０に広告を表示することが可能となり、商品の販売促進を図ることができるようになる。表示する広告は、個別のものであっても良いが、並設した複数のブライド装置に亘って一連の長文表示を行うことも可能である。
【００２７】
この場合、図５に示すように、枠体１０に保持させた太陽電池シート２０やその他の電装部品に対しては、取付用パイプ１７の内部を介してケーブル４０を敷設すれば、表示手段３０を設けることで注目される部分の外観品質を損なう虞れもない。
【符号の説明】
【００３１】
１，１′      ブラインド装置
１０      枠体
１０Ａ      取付面
１１，１２      横フレーム要素
１１ｃ，１２ｃ，１３ｃ      収容溝
１３，１４      縦フレーム要素
１３ａ，１４ａ      第１湾曲部
１３ｂ，１４ｂ      第２湾曲部
２０      太陽電池シート
３０      表示手段
【図１】
0005625267.tif 000002
【図２】
0005625267.tif 000003
【図３】
0005625267.tif 000004
【図４】
0005625267.tif 000005
【図５】
0005625267.tif 000006
【図６】
0005625267.tif 000007